(57)【要約】      （修正有）【課題】汎用性の高い指輪補助具を提供する。【解決手段】指輪のリング部と手指との隙間を調整するための指輪補助具１であって、指輪のリング部が挿通可能な内径寸法および長さ寸法を有し螺旋状に巻回した補助具本体２と、補助具本体２の両端部に設けられた取付案内部３ａ，３ｂと、を備えている。補助具本体２に指輪のリング部が挿通可能な形状であれば、異なるデザインの指輪であっても、指輪のリング部と手指との隙間を小さくすることができる。【選択図】図１
0003202268.tif 000002
【実用新案登録請求の範囲】
【請求項１】
指輪のリング部と手指との隙間を調整するための指輪補助具であって、
前記指輪のリング部が挿通可能な内径寸法および前記リング部が挿通可能な長さ寸法を有し螺旋状に巻回した補助具本体と、
前記補助具本体の両端部に設けられた取付案内部と、
を備えたことを特徴とする指輪補助具。
【請求項２】
請求項１記載の指輪補助具において、
前記取付案内部は、球状に形成されている
ことを特徴とする指輪補助具。
【請求項３】
請求項１記載の指輪補助具において、
前記取付案内部は、前記補助具本体の外周側から内周側に向けて基端側に傾斜した形状に形成されている
ことを特徴とする指輪補助具。
【請求項４】
請求項１記載の指輪補助具において、
前記取付案内部は、前記補助具本体の端部を基端側に屈曲させて形成されている
ことを特徴とする指輪補助具。
【請求項５】
請求項１〜４のいずれかに記載の指輪補助具において、
前記補助具本体は、前記指輪のリング部を挿通させた状態で、前記指輪の号数を２号または３号小さくする大きさに形成されている
ことを特徴とする指輪補助具。
【考案の詳細な説明】
【技術分野】
【０００１】
本考案は、指輪のリング部と手指との隙間を調整するための指輪補助具に関する。
【背景技術】
【０００２】
従来、この種の指輪補助具としては、例えば下記特許文献１に記載の構成の指輪の補助具が知られている。本指輪の補助具は、「指輪２のリング部２ａに沿うように形成された外装部４と、この外装部４が指輪２のリング部２ａに沿うように装着された状態で、外装部４からリング部２ａの内側に延設されるとともに、このリング部２ａの内側に沿うように形成されたスペーサー部５とを備え、外装部４の両端部４ａは、外装部４が指輪２のリング部２ａに沿うように装着された状態で、指輪２の台座部２ｂの端部２ｃに当接して、リング部２ａの周方向に対する指輪の補助具１の相対変位を規制するように形成されている。」構成となっている（要約参照。）。
【先行技術文献】
【特許文献】
【０００３】
【特許文献１】特開２００７−３１２９６４号公報
【考案の概要】
【考案が解決しようとする課題】
【０００４】
しかしながら、上記特許文献１に記載の指輪の補助具は、外装部４を指輪２のリング部２ａに沿うように形成しつつ、スペーサー部５を指輪２のリング部２ａの内側に沿うように形成しなければならない。このため、所定の指輪２に対応させて、その指輪２専用となる補助具でなければ、補助具を指輪２に取り付けることができず、指輪のリング部と手指との隙間を調整することができない。特に、指輪２の台座部２ｂは、様々なデザインのものや大きさが異なるものが存在するため、特定の指輪２専用の補助具が必要となり、汎用性に欠けるという問題を有している。
【０００５】
そこで本考案は、従来技術における上記問題を解決し、汎用性の高い指輪補助具を提供することを目的とする。
【課題を解決するための手段】
【０００６】
この課題を解決するため、請求項１にかかる本考案は、指輪のリング部と手指との隙間を調整するための指輪補助具であって、前記指輪のリング部が挿通可能な内径寸法および前記リング部が挿通可能な長さ寸法を有し螺旋状に巻回した補助具本体と、前記補助具本体の両端部に設けられた取付案内部と、を備えた、ことを特徴とする指輪補助具である。
【０００７】
そして、このように構成したことにより、いずれか一方の取付案内部を指輪のリング部に係止させた状態で、一方の取付案内部側に補助具本体を周方向に回転させることによって、補助具本体に指輪のリング部を挿通させることができる。この結果、補助具本体に挿通された指輪のリング部に手指を挿入した際における、指輪のリング部と手指との隙間を小さくすることができる。特に、補助具本体に指輪のリング部が挿通可能な形状であれば、異なるデザインの指輪であっても、指輪のリング部と手指との隙間を小さくすることができるから、汎用性が高い。
【０００８】
請求項２は、請求項１の指輪補助具において、前記取付案内部は、球状に形成されている、ことを特徴とする。
【０００９】
そして、このように構成したことにより、取付案内部を球状としたことにより、いずれか一方の取付案内部を指輪のリング部に係止させる作業を容易にできる。また同時に、補助具本体に指輪のリング部を挿通させた状態で、指輪のリング部に手指を挿入した際に生じ得る、手指の一部が取付案内部に引っ掛かる等の不具合を少なくすることができるから、使用感を向上することができる。
【００１０】
請求項３は、請求項１の指輪補助具において、前記取付案内部は、前記補助具本体の外周側から内周側に向けて基端側に傾斜した形状に形成されている、ことを特徴とする。
【００１１】
そして、このように構成したことにより、各取付案内部の先端部の内径寸法を大きくすることができるから、いずれか一方の取付案内部を指輪のリング部に係止させる作業をより容易にできる。
【００１２】
請求項４は、請求項１の指輪補助具において、前記取付案内部は、前記補助具本体の端部を基端側に屈曲させて形成されている、ことを特徴とする。
【００１３】
そして、このように構成したことにより、より簡単な加工で、いずれか一方の取付案内部を指輪のリング部に係止させる作業を容易にできるとともに、補助具本体に指輪のリング部を挿通させた状態で、指輪のリング部に手指を挿入した際に生じ得る、手指の一部が取付案内部に引っ掛かる等の不具合を少なくできる。
【００１４】
請求項５は、請求項１〜４のいずれかの指輪補助具において、前記補助具本体は、前記指輪のリング部を挿通させた状態で、前記指輪の号数を２号または３号小さくする大きさに形成されている、ことを特徴とする。
【００１５】
そして、このように構成したことにより、補助具本体に指輪のリング部を挿通させた状態で指輪のリング部に手指を挿入した際に、指輪の号数を２号または３号小さくすることができる。よって、程よい大きさに指輪のリング部の内径寸法を調整することができ、利用者の使い勝手を向上することができる。
【考案の効果】
【００１６】
本考案によれば、補助具本体に指輪のリング部が挿通可能な形状であれば、異なるデザインの指輪であっても、指輪のリング部と手指との隙間を小さくすることができるから、汎用性を向上することができる。そして、前述した以外の課題、構成および効果は、以下の実施形態の説明より明らかにされる。
【図面の簡単な説明】
【００１７】
【図１】本考案の第１実施形態に係る指輪補助具を示す図で、（ａ）は正面図、（ｂ）は右側面図である。
【図２】上記指輪補助具を指輪に取り付けた状態を示す正面図である。
【図３】上記指輪補助具の取付案内部を示す部分拡大図である。
【図４】本考案の第２実施形態に係る指輪補助具の取付案内部を示す部分拡大図である。
【図５】本考案の第３実施形態に係る指輪補助具の取付案内部を示す部分拡大図である。
【図６】本考案の第４実施形態に係る指輪補助具の取付案内部を示す部分拡大図である。
【考案を実施するための形態】
【００１８】
［第１実施形態］
本考案の第１実施形態に係る指輪補助具１について、図１〜図３を参照して説明する。図１は、本考案の第１実施形態に係る指輪補助具１を示す図で、（ａ）は正面図、（ｂ）は右側面図である。図２は、指輪補助具１を指輪Ａに取り付けた状態を示す正面図である。図３は、指輪補助具１の取付案内部３ａを示す部分拡大図である。
【００１９】
本第１実施形態に係る指輪補助具１は、図１に示すように、人の手指を挿通させて用いる装飾具としての指輪Ａの装着時の内径寸法ｒを小さくするための補助具である。ここで、指輪Ａは、例えば金・プラチナ・銀等の貴金属で構成されており、円環状のリング部Ｂと、リング部Ｂの少なくとも１部に設けられた台座部Ｃとを有している。リング部Ｂは、使用する人の所定の手指の太さに応じた内径寸法Ｒを有している。台座部Ｃには、指輪Ａのデザイン等によって様々な装飾が施されている。
【００２０】
指輪補助具１は、指輪Ａのリング部Ｂと手指との隙間を調整するためのものであって、例えば金・プラチナ・銀等の貴金属または樹脂等の線材２ａを螺旋状に、例えば４周から６周ほど巻回させて構成された補助具本体２を備えている。補助具本体２は、指輪Ａのリング部Ｂが挿通可能な内径寸法を有するとともに、この指輪Ａの台座部Ｃを除くリング部Ｂが挿通可能な長さ寸法を有する略円筒状に形成されている。補助具本体２は、例えば指輪Ａのリング部Ｂの号数が、例えば１６号または１３号の場合に、このリング部Ｂを補助具本体２に挿通させることによって、指輪Ａの装着時の号数を、例えば１４号または１１号、もしくは１３号または１０号と、２号または３号ほど小さくする大きさに形成されている。
【００２１】
補助具本体２の両端部には、略球状の取付案内部３ａ，３ｂがそれぞれ設けられている。これら取付案内部３ａ，３ｂは、補助具本体２を構成する線材２ａの径寸法より大きな直径寸法を有する球状であって、例えば補助具本体２の端部自体を球状に加工する等して形成されている。各取付案内部３ａ，３ｂは、これら各取付案内部３ａ，３ｂの中心が、螺旋状に巻回した線材２ａの中心方向上に位置するように設けられている。
【００２２】
＜利用方法＞
次に、第１実施形態に係る指輪補助具１の利用方法（使用方法）について説明する。
【００２３】
まず、使用者の手指から指輪Ａを取り外した状態で、この指輪Ａのリング部Ｂに、指輪補助具１のいずれか一方の取付案内部３ａ，３ｂを係止させる。具体的には、螺旋状に巻回した補助具本体２と取付案内部３ａ，３ｂとの隙間に、指輪Ａのリング部Ｂを嵌合させた状態とする。
【００２４】
この状態で、指輪Ａのリング部Ｂに係止させた側の取付案内部３ａ，３ｂが、補助具本体２の軸方向に向けて進む螺旋方向に向けて補助具本体２を周方向に回転させていき、図１に示すように、指輪Ａのリング部Ｂを指輪補助具１の補助具本体２に挿通させる。この結果、指輪Ａの装着時のサイズが、内径寸法Ｒから内径寸法ｒに小さくなる。
【００２５】
そして、指輪補助具１が取り付けられた指輪Ａのリング部Ｂに、使用者の所定の手指を挿入し、この指輪Ａを所定の手指に装着することによって、手指の一部が指輪補助具１の補助具本体２の外周面に接触する状態となり、指輪Ａと手指との隙間が小さくなるため、指輪Ａの緩みが少なくなる。
【００２６】
＜作用効果＞
以上により、上記第１実施形態に係る指輪補助具１によれば、いずれか一方の取付案内部３ａ，３ｂを指輪Ａのリング部Ｂに係止させた状態で、一方の取付案内部３ａ，３ｂ側に進むように補助具本体２の線材２ａを周方向に回転させることによって、補助具本体２に指輪Ａのリング部Ｂを挿通させることができる。この状態で、指輪Ａのリング部Ｂに手指を挿入して装着することにより、その手指の一部が指輪補助具１の補助具本体２の外周面に接触する状態となる。よって、指輪Ａのリング部Ｂと手指との隙間を小さくできるため、もともと装着するのにサイズが大きすぎた指輪Ａであっても、指輪Ａの緩みを少なくできるため、装着が可能となる。
【００２７】
特に、線材２ａを螺旋状に巻回した補助具本体２としているため、この補助具本体２にリング部Ｂが挿通可能な形状の指輪Ａであれば、台座部Ｃのデザインが異なる種々の指輪Ａであっても、汎用性高く、指輪Ａのリング部Ｂと手指との隙間を小さくできる。よって、特定の指輪Ａの専用品として指輪補助具１を作成等する必要がなくなるため、利用者の使い勝手を向上することができる。
【００２８】
また、指輪補助具１を装着せずに、指輪Ａのリング部Ｂに手指を挿入して装着した状態で、指輪補助具１の一方の取付案内部３ａ，３ｂを指輪Ａのリング部Ｂに係止させ、指輪補助具１を回転させることによって、指輪補助具１を指輪Ａのリング部Ｂに装着できる。したがって、例えば、手指の関節が太く、指輪補助具１を装着した状態で指輪Ａのリング部Ｂに手指を挿入して装着できない利用者であっても、指輪Ａを装着した状態で指輪補助具１を事後的にリング部Ｂに取り付けて、指輪Ａと手指との隙間を小さくすることができるから、利用者の使い勝手が良い。
【００２９】
さらに、指輪補助具１の取付案内部３ａ，３ｂを球状としたことにより、この球状の取付案内部３ａ，３ｂに指輪Ａのリング部Ｂが係止した状態を簡易的に保持することが可能となり、いずれか一方の取付案内部３ａ，３ｂを指輪Ａのリング部Ｂに係止させる作業を容易にできる。また同時に、指輪補助具１の補助具本体２に指輪Ａのリング部Ｂを挿通させた状態で、指輪Ａのリング部Ｂに手指を挿入した際に、手指の一部に取付案内部３ａ，３ｂが引っ掛かる等の不具合を少なくできるから、指輪補助具１を装着した状態での指輪Ａの装着感、すなわち使用感を向上することができる。
【００３０】
また、指輪Ａのリング部Ｂに指輪補助具１を装着することによって、指輪Ａのリング部Ｂの内径寸法Ｒを、指輪補助具１の内径寸法および線材２ａの径寸法を考慮した内径寸法ｒに小さくでき、具体的には、装着時の指輪Ａの号数を２号または３号ほど小さくできる。よって、程よい大きさに指輪Ａのリング部Ｂの内径寸法を調整でき、利用者の使い勝手を向上することができる。
【００３１】
特に、指輪Ａのリング部Ｂの素材、例えば金・プラチナ・銀等と同一の素材で、指輪補助具１を構成することより、指輪Ａの美感を損なくことなく、指輪補助具１を使用することができるから、使用者の使用感を向上することができる。同時に、指輪Ａのリング部Ｂと指輪補助具１の硬さを同一にすることにより、指輪補助具１を指輪Ａに装着した際の、リング部Ｂ等の傷付きを防止することができる。
【００３２】
さらに、指輪補助具１の補助具本体２を、線材２ａを螺旋状に巻回させた構成としたことにより、指輪補助具１が取り付けられた指輪Ａのリング部Ｂに手指を挿入して装着した際に、指輪補助具１の補助具本体２の軸方向および径方向それぞれにおける弾性力が働き、指輪Ａの周方向へのずれを少なくでき、指輪補助具１自体の指輪Ａのリング部Ｂに対するずれを少なくできる。
【００３３】
［第２実施形態］
次に、本考案の第２実施形態に係る指輪補助具１Ａついて、図４を参照して説明する。図４は、本考案の第２実施形態に係る指輪補助具１Ａの取付案内部３Ａを示す部分拡大図である。本第２実施形態に係る指輪補助具１Ａは、上記第１実施形態に係る指輪補助具１に対して、取付案内部３ａ，３ｂの形状のみが異なる。したがって、上記第１実施形態に係る指輪補助具１と共通する構成については、同一符号を付し、その説明を省略する。
【００３４】
具体的に、本第２実施形態に係る指輪補助具１Ａの取付案内部３Ａは、図４に示すように、補助具本体２を構成する線材２ａの径寸法に等しい径寸法の球状に形成されている。この結果、本第２実施形態に係る指輪補助具１Ａによれば、上記第１実施形態に係る指輪補助具１の取付案内部３ａ，３ｂに比べ、取付案内部３Ａの大きさが小さくなるため、この取付案内部３Ａを指輪Ａのリング部Ｂに係止させる作業をより容易にできる。同時に、指輪補助具１Ａを指輪Ａのリング部Ｂに取り付けた状態で、指輪Ａのリング部Ｂに手指を挿入した際における、手指の一部が取付案内部３Ａに引っ掛かる等の不具合をより少なくできるから、指輪補助具１Ａを装着した状態での指輪Ａの装着感、すなわち使用感をより向上できる。
【００３５】
［第３実施形態］
次に、本考案の第３実施形態に係る指輪補助具１Ｂついて、図５を参照して説明する。図５は、本考案の第３実施形態に係る指輪補助具１Ｂの取付案内部３Ｂを示す部分拡大図である。本第３実施形態に係る指輪補助具１Ｂは、上記第１実施形態に係る指輪補助具１に対して、取付案内部３ａ，３ｂの形状のみが異なる。したがって、上記第１実施形態に係る指輪補助具１と共通する構成については、同一符号を付し、その説明を省略する。
【００３６】
具体的に、本第３実施形態に係る指輪補助具１Ｂの取付案内部３Ｂは、図５に示すように、補助具本体２の外周側から内周側に向けて基端側に傾斜したテーパ状に形成されている。また、取付案内部３Ｂは、使用感を確保する観点から略円弧面状に形成されている。この結果、本第３実施形態に係る指輪補助具１Ｂによれば、上記第１および第２実施形態に係る指輪補助具１，１Ａの取付案内部３ａ，３ｂ，３Ａに比べ、各取付案内部３Ｂの先端部の内径寸法を大きくできるから、いずれか一方の取付案内部３Ｂを指輪Ａのリング部Ｂに係止させる作業をより容易にできる。よって、指輪補助具１Ｂの使い勝手を向上することができる。
【００３７】
［第４実施形態］
次に、本考案の第４実施形態に係る指輪補助具１Ｃについて、図６を参照して説明する。図６は、本考案の第４実施形態に係る指輪補助具１Ｃの取付案内部３Ｃを示す部分拡大図である。本第４実施形態に係る指輪補助具１Ｃは、上記第１実施形態に係る指輪補助具１に対して、取付案内部３ａ，３ｂの形状のみが異なる。したがって、上記第１実施形態に係る指輪補助具１と共通する構成については、同一符号を付し、その説明を省略する。
【００３８】
具体的に、本第４実施形態に係る指輪補助具１Ｃの取付案内部３Ｃは、図６に示すように、補助具本体２を構成する線材２ａの端部の一部分を、基端側に向けて１８０°屈曲させて形成されている。また、取付案内部３Ｃは、屈曲させた部分が円弧状とされ、線材２ａの各端部が、補助具本体２の外周側から内周側に向けて屈曲させて形成されている。この結果、本第４実施形態に係る指輪補助具１Ｃによれば、上記第１〜第３実施形態に係る指輪補助具１，１Ａ，１Ｂの取付案内部３ａ，３ｂ，３Ａ，３Ｂに比べ、指輪Ａのリング部Ｂに係止させる作業が容易であり、補助具本体２に指輪Ａのリング部Ｂを挿通させた状態で、指輪Ａのリング部Ｂに手指を挿入した際に生じ得る、手指の一部が引っ掛かる等の不具合を少なくできる取付案内部３Ｃを、より簡単な加工で補助具本体２の線材２ａの各端部に形成することができる。
【実施例１】
【００３９】
次に、本発明に係る指輪補助具の実施例について、上記第１実施形態に係る指輪補助具１を参考にして説明する。
【００４０】
【表１】
0003202268.tif 000003
【００４１】
表１に示すように、各指輪補助具１は、指輪Ａのリング部Ｂのサイズに応じて、上記実施例１〜７に示すように、補助具本体２の線材２ａの線径（φ）、補助具本体２の外径（Ｄ）、補助具本体２の線材２ａの間隔、すなわちピッチ（Ｐ）、補助具本体２の長さ（Ｌ）を調整することにより、種々の指輪Ａに対応した指輪補助具１を、利用者に提供できる。
【００４２】
特に、上記実施例１〜６をＭサイズとし、上記実施例７をＬサイズとすることにより、Ｍサイズの指輪補助具１にて、リング部Ｂの幅と厚みの和が３．０ｍｍ〜４．０ｍｍの指輪Ａに用いることができ、Ｌサイズの指輪補助具１にて、リング部Ｂの幅と厚みの和が４．０〜５．０ｍｍの指輪Ａに用いることができる。
【００４３】
また、補助具本体２の線材２ａの巻回数を４回とすると、指輪Ａのリング部Ｂに指輪補助具１を装置した際のサイズを２号ほど小さくできる。さらに、補助具本体２の線材２ａの巻回数を５回とすると、指輪Ａのリング部Ｂに指輪補助具１を装置した際のサイズを３号ほど小さくできる。
【００４４】
［その他］
なお、上記各実施形態に係る指輪補助具１，１Ａ〜１Ｃにおいて、補助具本体２の線材２ａを樹脂等でコーティングして使い勝手を向上させたり、各取付案内部３ａ，３ｂ，３Ａ〜３Ｃを補助具本体２とは別体とし、これら各取付案内部３ａ，３ｂ，３Ａ〜３Ｃを樹脂製の球体や素材の異なる他の金属等としたりすることもできる。
【００４５】
また、指輪補助具１，１Ａ〜１Ｃの補助具本体２の外形形状を略円筒状としたが、補助具本体２の長さ方向の中心位置の径寸法を最も小さくし、補助具本体２の長さ方向の両端部に進むに連れて徐々に径寸法が大きくなる形状にすることもできる。また、補助具本体２の長さ方向の中心位置の径寸法を最も大きくし、補助具本体２の長さ方向の両端部に進むに連れて徐々に径寸法が小さくなる略樽状とすることもできる。そして、このように補助具本体２の形状を略樽型とすることにより、指輪の装着時の号数を４号ほど小さくできる。
【００４６】
さらに、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００４７】
１，１Ａ，１Ｂ，１Ｃ  指輪補助具
２    補助具本体
２ａ  線材
３ａ，３ｂ，３Ａ，３Ｂ，３Ｃ  取付案内部
Ａ    指輪
Ｂ    リング部
Ｃ    台座部
Ｄ    外径（補助具本体２）
Ｌ    長さ（補助具本体２）
Ｐ    ピッチ（線材２ａ）
Ｒ    内径寸法（未装着時）
ｒ    内径寸法（装着時）
φ    線径（線材２ａ）
【図１】
0003202268.tif 000004
【図２】
0003202268.tif 000005
【図３】
0003202268.tif 000006
【図４】
0003202268.tif 000007
【図５】
0003202268.tif 000008
【図６】
0003202268.tif 000009